(57)【要約】【課題】大型で重量のある投写レンズに対して、可搬性や載置性の向上と、光学品質の維持が可能な投写レンズ、およびこの投写レンズを用いたプロジェクターを提供する。【解決手段】投写レンズ５は、鏡筒５２の外側で、光軸ＯＡに対して略直交する方向へ突出する部位に設置され、投写レンズ本体５０を保持する保持部材５５を備えている。また、保持部材５５は、光軸ＯＡと略平行な方向へ突出して、重心Ｇを含み光軸ＯＡに対して略直交する面と交差するように設置されている。また、投写レンズ本体５０を画像投写機器（プロジェクター１）に装着するためのフランジ５３を備え、保持部材５５は、フランジ５３に設置されている。【選択図】図２
2016133703.tif 000002
【特許請求の範囲】
【請求項１】
レンズ群を光軸に沿って収容する鏡筒を有し、画像投写機器に装着して前記レンズ群で光学処理された画像光を投写する投写レンズであって、
前記鏡筒の外側で、前記光軸に対して略直交する方向へ突出する部位に設置され、投写レンズ本体を保持する保持部材を備え、
前記保持部材は、前記光軸と略平行な方向へ突出して、重心を含み前記光軸に対して略直交する面と交差するように設置されていることを特徴とする投写レンズ。
【請求項２】
請求項１に記載の投写レンズであって、
前記投写レンズ本体を前記画像投写機器に装着するためのフランジを備え、
前記保持部材は、前記フランジに設置されていることを特徴とする投写レンズ。
【請求項３】
請求項２に記載の投写レンズであって、
前記フランジは、前記重心より、前記画像光の投写方向と反対側に配置されていることを特徴とする投写レンズ。
【請求項４】
請求項２または請求項３に記載の投写レンズであって、
前記保持部材は、前記投写レンズ本体が持ち上げられる際に把持されて前記投写レンズ本体を保持する第１保持部材を備えていることを特徴とする投写レンズ。
【請求項５】
請求項２〜請求項４のいずれか一項に記載の投写レンズであって、
前記保持部材は、前記投写レンズ本体が載置される際に被載置面に当接して前記投写レンズ本体を保持する第２保持部材を備えていることを特徴とする投写レンズ。
【請求項６】
請求項２または請求項３に記載の投写レンズであって、
前記保持部材は、前記投写レンズ本体が持ち上げられる際に把持されて前記投写レンズ本体を保持する第１保持部材と、前記投写レンズ本体が載置される際に被載置面に当接して前記投写レンズ本体を保持する第２保持部材と、を備え、
前記第１保持部材と前記第２保持部材とは、一体に構成され、少なくとも一方は前記フランジに設置されていることを特徴とする投写レンズ。
【請求項７】
光を射出する光源装置と、
前記光源装置から射出された前記光を変調する光変調装置と、
請求項１〜請求項６のいずれか一項に記載の投写レンズと、
を備えていることを特徴とするプロジェクター。
【発明の詳細な説明】
【技術分野】
【０００１】
本発明は、投写レンズ、および当該投写レンズを備えたプロジェクターに関する。
【背景技術】
【０００２】
従来、光源装置から射出された光（光束）を画像情報に応じて光変調装置で変調し、投写レンズを介してスクリーン等に拡大投写するプロジェクターが知られている。プロジェクターに用いられる投写レンズは、プロジェクター本体に対して着脱可能なものがある。
また、近年、プロジェクターの高輝度化（高光束化）が進むことにより、光変調装置に加わる熱量を分散させる目的で光変調装置が大型化している。これに伴い、投写レンズのレンズ径も大きくなり、投写レンズの大型化が図られている。
【０００３】
特許文献１では、プロジェクター本体から突出する交換レンズ（投写レンズ）の外周面に、着脱時に把持するグリップボタンを有する把持機構を備えたことが開示されている。ユーザーは、交換レンズをプロジェクター本体に対して着脱させる場合、このグリップボタンを把持（押圧）して回動させることにより行う。
【先行技術文献】
【特許文献】
【０００４】
【特許文献１】特開２００４−３０２３５０号公報
【発明の概要】
【発明が解決しようとする課題】
【０００５】
しかしながら、特許文献１の把持機構では、投写レンズを着脱する場合、投写レンズの大きさが、片手でグリップボタンを把持することが可能な大きさに限定され、大型の投写レンズに適用することは難しい。
【０００６】
投写レンズが大型で重量もある場合には、投写レンズの着脱作業を行う際に、投写レンズを保持して移動させることが容易ではなく、可搬性が低下するという課題がある。
また、上記投写レンズを床面等に載置する際に、投写レンズの外装となる例えば円筒状の鏡筒をそのまま床面等に当接させて載置することにより、投写レンズを安定した状態で床面に載置（保持）させることが困難となり、載置性が低下するという課題がある。また、鏡筒をそのまま床面等に当接させて載置することにより、鏡筒が変形し、投写レンズを構成する複数のレンズ群が光軸に対して偏芯する等、光学品質が低下するという課題がある。なお、偏芯を防止するために鏡筒の剛性を増すことが考えられるが、投写レンズの重量が更に増加することになる。
従って、大型で重量のある投写レンズに対して、可搬性や載置性の向上と、光学品質の維持が可能な投写レンズ、およびこの投写レンズを用いたプロジェクターが要望されていた。
【課題を解決するための手段】
【０００７】
本発明は、上述の課題の少なくとも一部を解決するためになされたものであり、以下の形態または適用例として実現することが可能である。
【０００８】
［適用例１］本適用例に係る投写レンズは、レンズ群を光軸に沿って収容する鏡筒を有し、画像投写機器に装着してレンズ群で光学処理された画像光を投写する投写レンズであって、鏡筒の外側で、光軸に対して略直交する方向へ突出する部位に設置され、投写レンズ本体を保持する保持部材を備え、保持部材は、光軸と略平行な方向へ突出して、重心を含み光軸に対して略直交する面と交差するように設置されていることを特徴とする。
【０００９】
本適用例によれば、保持部材が、鏡筒の外側で、光軸と略平行な方向へ突出して、重心を含み光軸に対して略直交する面と交差するように設置されることにより、大型で重量のある投写レンズに対して、投写レンズ本体を安定した状態で保持することができる。従って、投写レンズの可搬性や載置性を向上させることができる。
【００１０】
［適用例２］上記適用例に記載の投写レンズにおいて、投写レンズ本体を画像投写機器に装着するためのフランジを備え、保持部材は、フランジに設置されていることが好ましい。
【００１１】
本適用例によれば、フランジに保持部材が設置されるため、例えば、フランジを被装着部の所定の位置に合わせる移動が容易となり、投写レンズの設置性が向上する。
また、保持部材を、例えば、鏡筒に設置する場合には、鏡筒の剛性を増す必要があり、レンズ群を保持する剛性以上の剛性が必要となるため、結果的に重量などを増加させることが必要となる。しかし、保持部材をフランジに設置することにより、鏡筒の剛性を増加させる必要がなくなり、投写レンズ全体の軽量化を図ることができる。
【００１２】
［適用例３］上記適用例に記載の投写レンズにおいて、フランジは、重心より、画像光の投写方向と反対側に配置されていることが好ましい。
【００１３】
本適用例によれば、フランジが重心より画像光の投写方向と反対側に配置されることにより、保持部材はフランジに対して光軸と略平行な方向へ突出して、重心を含み光軸に対して略直交する面と交差するように設置される。これにより、投写レンズ本体を安定した状態で保持することができ、また、フランジを画像投写機器の所定の位置に合わせる移動が容易となり、投写レンズの可搬性や載置性が向上する。
【００１４】
［適用例４］上記適用例に記載の投写レンズにおいて、保持部材は、投写レンズ本体が持ち上げられる際に把持されて投写レンズ本体を保持する第１保持部材を備えていることが好ましい。
【００１５】
本適用例によれば、第１保持部材を備えることにより、投写レンズ本体を安定した状態で把持して持ち上げることができ、また、安定した状態で保持して移動させることができるため、投写レンズの可搬性が向上する。
【００１６】
［適用例５］上記適用例に記載の投写レンズにおいて、保持部材は、投写レンズ本体が載置される際に被載置面に当接して投写レンズ本体を保持する第２保持部材を備えていることが好ましい。
【００１７】
本適用例によれば、第２保持部材を備えることにより、投写レンズ本体を安定した状態で被載置面（例えば床面）に載置（保持）することができるため、投写レンズの載置性が向上する。なお、第２保持部材により、レンズ群の光軸に対する偏芯を防止する等、光学品質を維持させることができる。
【００１８】
［適用例６］上記適用例に記載の投写レンズにおいて、保持部材は、投写レンズ本体が持ち上げられる際に把持されて投写レンズ本体を保持する第１保持部材と、投写レンズ本体が載置される際に被載置面に当接して投写レンズ本体を保持する第２保持部材と、を備え、第１保持部材と第２保持部材とは、一体に構成され、少なくとも一方はフランジに設置されていることが好ましい。
【００１９】
本適用例によれば、第１保持部材と第２保持部材とは、一体に構成されることにより、保持部材の剛性を向上させることができる。
【００２０】
［適用例７］本適用例に係るプロジェクターは、光を射出する光源装置と、光源装置から射出された光を変調する光変調装置と、上述したいずれかに記載の投写レンズと、を備えていることを特徴とする。
【００２１】
本適用例によれば、投写レンズが、大型で重量がある場合にも、投写レンズの可搬性や載置性を向上させ、光学品質も維持できるため、プロジェクターの高輝度化を実現することができる。
【図面の簡単な説明】
【００２２】
【図１】第１実施形態に係るプロジェクターの概構成を模式的に示す図。
【図２】投写レンズを示す斜視図。
【図３】投写レンズを示す側面図。
【図４】第２実施形態に係る投写レンズを示す斜視図。
【発明を実施するための形態】
【００２３】
以下、本発明の実施形態について、図面を参照して説明する。
【００２４】
〔第１実施形態〕
図１は、第１実施形態に係るプロジェクター１の概構成を模式的に示す図である。なお、図１は、机上に設置されるプロジェクター１の内部構成を上方から見た模式図である。以降では、図１を参照して、本実施形態のプロジェクター１の概略構成と動作を説明する。
【００２５】
図１を含む以降の図面では、説明の便宜上、投写レンズ５から射出された画像光の進行方向（投写方向）となる光軸ＯＡに沿う方向を前方向（前側）、反対方向を後方向（後側）とする。そして、後方向から前方向を見た場合の、画像光の進行方向となる光軸ＯＡに水平方向で直交する右側を右方向とし、その反対方向を左方向（左側）とする。更に、前後方向、左右方向に直交し、机上設置姿勢での重力方向に逆らう方向を上方向（上側）とし、反対方向（重力方向）を下方向（下側）とする。なお、図１を含む以降の図面では、各構成要素を図面上で認識できる程度の大きさとするため、各構成要素の寸法や比率を実際のものとは適宜異ならせて示している。
【００２６】
〔プロジェクター１の構成と動作〕
プロジェクター１は、光源装置３１から射出された射出光を、画像情報に応じて光変調装置としての液晶パネル３５１で変調し、変調光を画像光として投写レンズ５を介してスクリーン（図示省略）等に拡大投写する装置である。プロジェクター１は、光学ユニット３、制御部（図示省略）、制御部等に電力を供給する電源ユニット（図示省略）、およびプロジェクター１の内部を冷却する冷却機構（図示省略）等を備え、これらが外装筐体２の内部に収容されている。
【００２７】
〔光学ユニット３の構成と動作〕
光学ユニット３は、制御部による制御に基づいて動作し、画像情報に応じて画像光を形成するものである。光学ユニット３は、図１に示すように、光源ランプ３１１およびリフレクター３１２を有する光源装置３１と、レンズアレイ３２１，３２２、偏光変換素子３２３、重畳レンズ３２４、および平行化レンズ３２５を有する照明光学装置３２とを備えている。また、光学ユニット３は、ダイクロイックミラー３３１，３３２、および反射ミラー３３３を有する色分離光学装置３３と、入射側レンズ３４１、リレーレンズ３４３、および反射ミラー３４２，３４４を有するリレー光学装置３４とを備えている。
【００２８】
また、光学ユニット３は、光変調装置としての３つの液晶パネル３５１（赤色光（Ｒ光）用の液晶パネルを３５１Ｒ、緑色光（Ｇ光）用の液晶パネルを３５１Ｇ、青色光（Ｂ光）用の液晶パネルを３５１Ｂとする）、３つの入射側偏光板３５２、３つの射出側偏光板３５３、および色合成光学装置としてのクロスダイクロイックプリズム３５４を有する電気光学装置３５を備えている。また、光学ユニット３は、電気光学装置３５から射出された画像光を光学処理して射出する投写光学装置としての投写レンズ５を備えている。そして、光学ユニット３は、各光学装置３１〜３４を収容する光学部品用筐体３６を備えている。なお、投写レンズ５は、ユーザーにより着脱可能に構成されている。
【００２９】
光学ユニット３は、上述した構成により、光源装置３１から射出されて照明光学装置３２を介した光を、色分離光学装置３３でＲ光、Ｇ光、Ｂ光の３つの色光に分離する。また、分離された各色光は、各液晶パネル３５１で画像情報に応じてそれぞれ変調され、色光毎の変調光として形成される。色光毎の変調光は、クロスダイクロイックプリズム３５４に入射して画像光として合成され、投写レンズ５を介して光学処理され、スクリーン等に拡大投写される。なお、上述した各光学装置３１〜３５については、種々の一般的なプロジェクーの光学系として利用されているため、具体的な説明を省略する。
【００３０】
〔投写レンズ５と外装筐体２の概構成〕
プロジェクター１の外装を構成する外装筐体２は、概ね直方体形状を有して形成されている。また、投写レンズ５は、複数のレンズ群５１を内部に収容して形成され、外装筐体２の前側の側面から前方向に突出した状態で設置されている。投写レンズ５は、詳細は後述するが、フランジバックの位置で光軸ＯＡに直交するフランジ５３を備えている。フランジ５３には、前方向に突出する保持部材５５が設置されている。
【００３１】
〔固定枠４の概構成〕
前述した各光学装置３１〜３４を収容する光学部品用筐体３６、および電気光学装置３５は、各光学装置３１〜３５の光学的位置を調整されて、固定枠４に固定される。そして、固定枠４は外装筐体２の内面側に固定される。なお、固定枠４は、投写レンズ５に備えるフランジ５３を固定するフランジ固定部４１が上方向に起立して形成されている。被装着部としてのフランジ固定部４１に投写レンズ５のフランジ５３を前側から当接させて固定することにより、固定枠４に投写レンズ５が固定される。この固定により、光学ユニット３が完成する。
【００３２】
〔カバー部材２０の概構成と動作〕
プロジェクター１は、外装筐体２の前側の側面に着脱可能に固定されるカバー部材２０を備えている。カバー部材２０は、外装筐体２の前側の側面から突出する投写レンズ５の保持部材５５を覆い隠し、投写レンズ５の前側の先端部のみ露出させる機能を有している。なお、カバー部材２０は、プロジェクター１の組立ての最終工程で設置される。従って、投写レンズ５を着脱する際には、外装筐体２からカバー部材２０を取り外した状態で行う。
【００３３】
図２は、投写レンズ５を示す斜視図である、図３は、投写レンズ５を示す側面図である。なお、図３は、投写レンズ５を床面Ｓに載置した状態を含めて示している。図２、図３を参照して投写レンズ５に関して説明する。
【００３４】
〔投写レンズ５の構成と動作〕
本実施形態の投写レンズ５は、レンズ群５１、鏡筒５２、フランジ５３、および保持部材５５を備えて構成されている。本実施形態の投写レンズ５は、概略、全長約５０ｃｍ、重量約２０Ｋｇ、レンズ径は約２０ｃｍである。投写レンズ５は、入射する画像光をズーム調整する機能、およびフォーカス調整する機能を有している。また、本実施形態では、ズーム調整は、ギヤ（図示省略）およびモーター（図示省略）等で構成される駆動部（図示省略）を用いて行われる。
【００３５】
レンズ群５１は、１つあるいは複数のレンズを１つのレンズ群とする複数のレンズ群で構成されている。なお、複数のレンズ群５１は、レンズ枠（図示省略）にそれぞれ保持されている。レンズ枠には、光軸ＯＡに直交する方向にカムピン（図示省略）が突出して形成されている。
【００３６】
鏡筒５２は円筒形状に形成され、内部に複数のレンズ群５１が光軸ＯＡに沿って光学的位置を保持して移動可能に収容されている。鏡筒５２は、詳細には、複数のレンズ群５１を光軸ＯＡに沿って直線状に案内自在に順次配置する案内筒５２１と、案内筒５２１を挿嵌して複数のレンズ群５１を光軸ＯＡに沿って移動させるカム筒５２２とを備えている。
【００３７】
案内筒５２１は、円筒状に形成され、光軸ＯＡに沿って切り欠かれた直進溝（図示省略）が形成されている。カム筒５２２は、円筒状に形成され、内側に案内筒５２１が挿嵌され、案内筒５２１に対して光軸ＯＡを中心として周方向に回動可能となっている。カム筒５２２は、内周面に、光軸ＯＡに沿って切り欠かれた案内溝（図示省略）と、所定の経路で周方向に形成されて各レンズ群５１の移動動作を規定するカム溝（図示省略）が形成されている。
【００３８】
各レンズ枠（レンズ群５１）のカムピンは、案内筒５２１の直進溝と、カム筒５２２のカム溝とに係合される。各レンズ枠（各レンズ群５１）は、カム筒５２２の回動により、カムピンが直進溝とカム溝との交点に誘導されることで、光軸ＯＡに沿って所定の光学的位置に規定されながら、それぞれ移動する。これにより、ズーム調整が行われる。
【００３９】
また、鏡筒５２は、前側の先端部に円筒状に形成される前側筒５２３を備えている。前側筒５２３の内部には、フォーカス調整用のレンズ群５１が固定されている。前側筒５２３は、内周面にネジ切り加工が施されている。そして、前側筒５２３は、このネジ切り加工された内周面が、案内筒５２１の前側の先端部の外周面に形成されるネジ部（図示省略）と螺合することで、案内筒５２１に取り付けられている。そして、フォーカス調整用のレンズ群５１は、前側筒５２３の回動により、光軸ＯＡに沿って移動する。これにより、フォーカス調整が行われる。
【００４０】
〔フランジ５３および保持部材５５の構成〕
図２、図３に示すように、フランジ５３は、本実施形態では、平面視で略矩形状に形成され、カム筒５２２を挿嵌し、カム筒５２２の中ほど（フランジバックの位置）に、光軸ＯＡに直交して設置されている。なお、フランジ５３の前側の面には、上述した図示省略する駆動部が設置されている。
【００４１】
フランジ５３の４つのコーナー部には、保持部材５５が設置されている。詳細には、フランジ５３の上側のコーナー部には、一対の第１保持部材５５１が、フランジ５３の前側の面に直交して（光軸ＯＡと略平行に）突出して設置されている。また、フランジ５３の下側のコーナー部には、一対の第２保持部材５５２が、フランジ５３の前側の面に直交して（光軸ＯＡと略平行に）突出して設置されている。また、一対の第１保持部材５５１および一対の第２保持部材５５２は、上方視において、それぞれ光軸ＯＡに対して略対称に配置されている。
【００４２】
〔第１保持部材５５１の構成と動作〕
図２、図３に示すように、第１保持部材５５１は、棒状に構成され、一端部にはネジ切り加工されたネジ部５５１１が形成されている。また、フランジ５３の上側のコーナー部には、ネジ孔部５３１がそれぞれ形成されている。そして、このネジ孔部５３１に前方向から第１保持部材５５１のネジ部５５１１をそれぞれ螺合させることで、第１保持部材５５１は、フランジ５３に固定される。
【００４３】
投写レンズ本体５０の重心Ｇの位置は、本実施形態では、図３に示すように、略光軸ＯＡ上で、フランジ５３が設置される位置より前側となっている。従って、フランジ５３は、重心Ｇの位置よりも後側（画像光の投写方向と反対側）に設置されている。なお、投写レンズ本体５０とは、保持部材５５を除いた投写レンズ５を構成する部材全体としている。
【００４４】
第１保持部材５５１は、言い換えると、鏡筒５２の外側で、投写レンズ本体５０の重心Ｇを含み、光軸ＯＡに対して略直交する面と交差するように設置される。なお、本実施形態の第１保持部材５５１の前側の先端部は、重心Ｇの位置よりも前側に位置している。なお、一対の第１保持部材５５１は、投写レンズ本体５０を移動させる際に、把持して投写レンズ本体５０を保持する部材となっている。ユーザーは、投写レンズ５を着脱する際に、この第１保持部材５５１を把持して移動させることができる。
【００４５】
〔第２保持部材５５２の構成と動作〕
第２保持部材５５２は、第１保持部材５５１と同様に、棒状に構成され、一端部にはネジ切り加工されたネジ部５５２１が形成されている。また、フランジ５３の下側のコーナー部には、ネジ孔部５３２がそれぞれ形成されている。そして、このネジ孔部５３２に前方向から第２保持部材５５２のネジ部５５２１をそれぞれ螺合させることで、第２保持部材５５２は、フランジ５３に固定される。なお、第２保持部材５５２は、第１保持部材５５１と同様に、鏡筒５２の外側で、投写レンズ本体５０の重心Ｇを含み、光軸ＯＡに対して略直交する面と交差するように設置される。また、本実施形態の第２保持部材５５２の前側の先端部は、第１保持部材５５１と同様に、重心Ｇの位置よりも前側に位置している。
【００４６】
なお、一対の第２保持部材５５２は、フランジ５３に設置された際に、第２保持部材５５２の外周面５５２２の下側が、フランジ５３の下側の外周面５３３よりも外側（下側）に位置する状態となっている。また、第２保持部材５５２の外周面５５２２の下側は、前側筒５２３の外周面の下側よりも下側に位置する状態となっている。従って、投写レンズ５を被載置面としての床面Ｓに載置した場合、投写レンズ本体５０は、床面Ｓには当接しない。
【００４７】
このように、一対の第２保持部材５５２は、投写レンズ本体５０を床面Ｓ（図３参照）に載置する際に、床面Ｓに当接して投写レンズ本体５０を保持する。ユーザーは、投写レンズ５を床面Ｓに載置する際、第１保持部材５５１を把持して投写レンズ本体５０を保持し、第２保持部材５５２を床面Ｓに当接させて載置する。
【００４８】
〔投写レンズ５のプロジェクター本体１０への固定〕
投写レンズ５は、上述したように、プロジェクター本体１０に対して着脱可能に構成されている。そして、投写レンズ５は、複数種類の交換用の投写レンズを備えている。
【００４９】
投写レンズ５をプロジェクター本体１０に装着する場合、カバー部材２０は取り外されている状態で、露出する固定枠４のフランジ固定部４１の前側の面に、投写レンズ５のフランジ５３の後側の面を当接させる。これにより、フランジ固定部４１に形成される所定の位置としての位置決め用のダボ（図示省略）に、フランジ５３に形成される孔部（図示省略）を挿入し、その後、ネジ締めにより固定することができる。なお、この場合、ユーザーは、投写レンズ５の第１保持部材５５１を把持して孔部にダボを挿通するように移動させる。なお、本実施形態では、孔部にダボを挿通させた後に、第１保持部材５５１の把持を止めても、投写レンズ５は、フランジ固定部４１に保持される構成となっている。
【００５０】
上述した実施形態によれば、以下の効果が得られる。
本実施形態の投写レンズ５において、保持部材５５は、鏡筒５２の外側で、投写レンズ本体５０の重心Ｇを含んで、光軸ＯＡに対して略直交する面と交差するように設置され、投写レンズ本体５０を保持している。そのため、大型で重量のある投写レンズ５に対して、投写レンズ本体５０を安定した状態で保持することができる。従って、投写レンズ５の可搬性や載置性を向上させることができる。
【００５１】
本実施形態の投写レンズ５において、保持部材５５（第１保持部材５５１）はフランジ５３に設置される。そのため、フランジ５３の孔部を、固定枠４のフランジ固定部４１のダボに合わせる移動が容易となり、投写レンズ５の設置性が向上する。
【００５２】
本実施形態の投写レンズ５において、保持部材５５はフランジ５３に設置される。そのため、保持部材５５を、例えば、鏡筒５２に設置する場合には、鏡筒５２の剛性を増す必要があり、レンズ群５１を保持する剛性以上の剛性が必要となるため、結果的に重量などを増加させることが必要となる。しかし、保持部材５５がフランジ５３に設置されることにより、鏡筒５２の剛性を増加させる必要がなくなり、投写レンズ５全体の軽量化を図ることができる。
【００５３】
本実施形態の投写レンズ５において、第１保持部材５５１は、投写レンズ本体５０の重心Ｇを含み光軸ＯＡに対して略直交する面と交差するように設置されることにより、投写レンズ本体５０を安定した状態で把持して持ち上げることができ、また、安定した状態で保持して移動させることができるため、投写レンズ５の可搬性が向上する。
【００５４】
本実施形態の投写レンズ５において、一対の第１保持部材５５１が光軸ＯＡに対して略対称に配置されていることにより、使用者は左右の手それぞれで第１保持部材５５１を把持して持ち上げることができ、また、安定した状態で保持して移動させることができるため、投写レンズ５の可搬性が向上する。
【００５５】
本実施形態の投写レンズ５において、第２保持部材５５２を備えることにより、投写レンズ本体５０を安定した状態で被載置面（例えば床面Ｓ）に載置（保持）することができるため、投写レンズ５の載置性が向上する。これにより、投写レンズ５を床面Ｓなどに保管する場合にも、安定した状態で保管することができる。
また、第２保持部材５５２により、投写レンズ本体５０が床面Ｓ等に当接することがないため、鏡筒５２の変形等を防止でき、レンズ群５１の光軸ＯＡに対する偏芯を防止することで、光学品質を維持させることができる。
【００５６】
本実施形態の投写レンズ５において、一対の第２保持部材５５２が光軸ＯＡに対して略対称に配置されていることにより、投写レンズ本体５０を安定した状態で被載置面（例えば床面Ｓ）に載置（保持）することができるため、投写レンズ５の載置性が向上する。これにより、投写レンズ５を床面Ｓなどに保管する場合にも、安定した状態で保管することができる。
【００５７】
本実施形態の投写レンズ５において、フランジ５３は、投写レンズ本体５０の重心Ｇより、画像光の投写方向と反対側に配置されている。そのため、フランジ５３に設置される保持部材５５（第１保持部材５５１および第２保持部材５５２）は、光軸ＯＡと略平行な方向へ突出して、重心Ｇを含み光軸ＯＡに対して略直交する面と交差するように設置することができる。従って、投写レンズ５の可搬性や載置性を向上させることができる。
【００５８】
本実施形態のプロジェクター１は、投写レンズが大型で重量がある場合にも、可搬性や載置性を向上させ、光学品質も維持できる投写レンズ５を備えるため、高輝度化を実現することができる。
【００５９】
〔第２実施形態〕
図４は、第２実施形態に係る投写レンズ５Ａの斜視図である。
本実施形態の投写レンズ５Ａは、第１実施形態での投写レンズ５と略同様に構成されている。第１実施形態と異なる構成は、投写レンズ５Ａの保持部材５６の構成と、保持部材５６を固定するフランジ５３Ａの構成が異なっている。その他の構成は第１実施形態と略同様となる。なお、第１実施形態と同様の構成部位については同様の符号を付記し、重複する説明は省略する。以降では、図４を参照して、本実施形態の投写レンズ５Ａの構成を説明する。
【００６０】
〔保持部材５６の構成〕
本実施形態の保持部材５６は、第１実施形態での第１保持部材５５１と同様の機能を有する第１保持部５６１（第１保持部材としての第１保持部５６１）と、第２保持部材５５２と同様の機能を有する第２保持部５６２（第２保持部材としての第２保持部５６２）とを備えている。また、保持部材５６は、第１保持部材５５１と第２保持部材５５２とを一体に繋げる部材としての機能を有する接続部５６３を備えて構成されている。従って、本実施形態の保持部材５６は、第１保持部５６１、第２保持部５６２、および接続部５６３を有して一体に構成されている。なお、保持部材５６は、上記構成部を有して一対構成されている。
【００６１】
保持部材５６は、本実施形態では、棒状部材を略直角に曲折することにより形成されている。接続部５６３は、第１実施形態の第１保持部材５５１の前側端部と、第２保持部材５５２の前側端部とを繋げるように、第１保持部５６１と第２保持部５６２とを繋げている。
【００６２】
保持部材５６は、図４に示すように、フランジ５３Ａの右側の上側コーナー部に第１保持部５６１が設置され、右側の下側コーナー部に第２保持部５６２が設置される。また、同様に、フランジ５３Ａの左側の上側コーナー部に第１保持部５６１が設置され、左側の下側コーナー部に第２保持部５６２が設置される。
【００６３】
なお、保持部材５６において、第１保持部５６１の後側の端部には、ネジ切り加工されたネジ部５６１１が形成され、第２保持部５６２の後側の端部には、ネジ切り加工されたネジ部５６２１が形成されている。言い換えると、保持部材５６の両端部には、ネジ部５６１１，５６２１が形成されている。
【００６４】
フランジ５３Ａは、第１実施形態のフランジ５３と同様に構成され、異なるのは、保持部材５６を固定する部分である。フランジ５３Ａは、保持部材５６のネジ部５６１１，５６２１に対応して、ネジ部５６１１，５６２１を挿通する孔部５３４，５３５が形成されている。
【００６５】
保持部材５６のフランジ５３Ａへの固定は、保持部材５６（第１保持部５６１、第２保持部５６２）のネジ部５６１１，５６２１を、フランジ５３Ａの前側から孔部５３４，５３５に挿通し、フランジ５３Ａの後側の面から突出したネジ部５６１１，５６２１に、それぞれナットＮを螺合させることで行う。
【００６６】
なお、投写レンズ５Ａをプロジェクター本体１０へ着脱する際の、保持部材５６の動作は、第１実施形態と同様である。
【００６７】
本実施形態によれば、第１実施形態での効果と同様の効果を奏することができる他、以下の効果が得られる。
【００６８】
本実施形態の投写レンズ５Ａにおいて、保持部材５６は、接続部５６３により第１保持部５６１と第２保持部５６２とが一体に構成されている。この構成により、第１実施形態の保持部材５５に比べて、保持部材５６の剛性を向上させることができる。
【００６９】
本実施形態の投写レンズ５Ａにおいて、保持部材５６は、接続部５６３を備えて構成されている。この構成により、投写レンズ５Ａをプロジェクター本体１０に着脱する際、使用者は接続部５６３を把持して投写レンズ５Ａを前後方向へ移動することができ、投写レンズ５Ａの着脱を容易に行うことができる。
【００７０】
なお、本発明は上述した実施形態に限定されず、上述した実施形態に種々の変更や改良などを加えることが可能である。変形例を以下に述べる。
【００７１】
前記第１実施形態の投写レンズ５において、保持部材５５は、鏡筒５２の外側で、投写レンズ本体５０の重心Ｇを含んで、光軸ＯＡに対して略直交する方向の部位に設置されている。しかし、保持部材５５は、投写レンズ本体５０の重心Ｇの近傍で、光軸ＯＡに対して略直交する方向の部位に設置されていてもよい。これは、前記第２実施形態においても同様となる。
【００７２】
前記第１実施形態の投写レンズ５において、保持部材５５は、移動時に使用する第１保持部材５５１と、載置時に使用する第２保持部材５５２とを備えている。しかし、いずれか一方の保持部材５５を備えることでもよい。
【００７３】
前記第１実施形態の投写レンズ５において、保持部材５５は、第１保持部材５５１と第２保持部材５５２とが、真直ぐな棒状に形成されているが、形状は、把持しやすい形状や、載置しやすい形状に変更することでよい。これは、前記第２実施形態の保持部材５６（第１保持部５６１、第２保持部５６２）においても同様となる。
【００７４】
前記第１実施形態の投写レンズ５において、保持部材５５は、２つの第１保持部材５５１と、２つの第２保持部材５５２とで構成されている。しかし、保持部材の数量には限られない。これは、前記第２実施形態の保持部材５６においても同様となる。
【００７５】
前記第１実施形態の保持部材５５は、フランジ５３に設置されて固定された状態となっている。しかし、これに限られず、保持部材５５は、フランジ５３に対して着脱可能に構成されていてもよい。その場合、投写レンズ本体５０を移動させる場合や、載置させる場合には、保持部材５５をフランジ５３に装着して行い、必要のない場合には、保持部材５５をフランジ５３から取外すことでよい。これにより、保持部材５５の利便性を向上させることができる。これは、前記第２実施形態の保持部材５６においても同様となる。
【００７６】
前記第２実施形態の保持部材５６において、第１保持部５６１および第２保持部５６２は、共にフランジ５３Ａに設置されている。しかし、これに限られず、第１保持部５６１および第２保持部５６２の少なくとも一方がフランジ５３Ａに設置される構成であってもよい。
【００７７】
前記実施形態のプロジェクター１において、光源装置３１は、放電型の光源ランプ３１１を用いている。しかし、これに限られず、固体光源を用いた光源装置を用いてもよい。固体光源としては、レーザー光源、ＬＥＤ（Light emitting diode）素子、有機ＥＬ（Electro Luminescence）素子、シリコン発光素子等の各種固体発光素子等があげられる。
【００７８】
前記実施形態のプロジェクター１において、電気光学装置３５は、Ｒ光、Ｇ光、Ｂ光に対応する３つの光変調装置を用いるいわゆる３板方式を採用している。しかし、これに限られず、単板方式の光変調装置を採用してもよい。また、コントラストを向上させるための光変調装置を追加して採用してもよい。
【００７９】
前記実施形態のプロジェクター１において、電気光学装置３５は、透過型の光変調装置（透過型の液晶パネル３５１）を採用している。しかし、これに限られず、反射型の光変調装置を採用してもよい。
【００８０】
前記実施形態のプロジェクター１において、電気光学装置３５は、光変調装置として液晶パネル３５１を採用している。しかし、これに限られず、一般に、入射光を画像信号に基づいて変調するものであればよく、例えば、マイクロミラー型の光変調装置など、他の方式の光変調装置を採用することでもよい。なお、マイクロミラー型の光変調装置としては、例えば、ＤＭＤ（Digital Micromirror Device）を採用することができる。
【００８１】
前記実施形態のプロジェクター１において、光学ユニット３は、光源装置３１から射出された光の照度を均一化する照明光学装置３２として、レンズアレイ３２１，３２２からなるレンズインテグレーター光学系を採用している。しかし、これに限定されるものではなく、導光ロッドからなるロッドインテグレーター光学系を採用することでもよい。
【符号の説明】
【００８２】
１…プロジェクター、４…固定枠、５，５Ａ…投写レンズ、１０…プロジェクター本体、３１…光源装置、４１…フランジ固定部（被装着部）、５０…投写レンズ本体、５１…レンズ群、５２…鏡筒、５３，５３Ａ…フランジ、５５，５６…保持部材、３５１…液晶パネル（光変調装置）、５５１…第１保持部材、５５２…第２保持部材、５６１…第１保持部（第１保持部材）、５６２…第２保持部（第２保持部材）、５６３…接続部、ＯＡ…光軸、Ｇ…重心、Ｓ…床面（被載置面）。
【図１】
2016133703.tif 000003
【図２】
2016133703.tif 000004
【図３】
2016133703.tif 000005
【図４】
2016133703.tif 000006